【手続補正書】
【提出日】平成17年10月31日(2005.10.31)
【手続補正１】
【補正対象書類名】特許請求の範囲
【補正対象項目名】全文
【補正方法】変更
【補正の内容】
【特許請求の範囲】
【請求項１】
スロット状フレーム構造の無線信号を送受信するためのシステムであって、
前記無線信号を送信するように動作可能な第１のトランシーバと、
前記無線信号を、アンテナダイバーシティを介して複数の可能なアンテナ構成から選択される１つの最初のアンテナ構成から受信するよう動作可能な第２のトランシーバと、
を備え、
前記第２のトランシーバは、前記最初のアンテナ構成において前記第１のトランシーバからのデータを含むスロットの受信中に、前記複数の可能なアンテナ構成から選択される少なくとも１つの代替のアンテナ構成から受信される前記無線信号についての受信品質を判定でき、
前記第２のトランシーバは、前記最初のアンテナ構成と前記少なくとも１つの代替のアンテナ構成とから、前記無線信号を受信するためのアンテナ構成を選択することができる、
システム。
【請求項２】
前記代替のアンテナ構成の前記選択は、前記第２のトランシーバで生じた前記複数の可能なアンテナ構成の各々から得られる受信品質履歴に基づいて行われる、請求項１に記載のシステム。
【請求項３】
前記代替のアンテナ構成の前記選択はランダムに行われる、請求項１に記載のシステム。
【請求項４】
前記代替のアンテナ構成の前記選択は、ランダム選択と履歴に基づく選択とを組み合わせて行われる、請求項１又は２に記載のシステム。
【請求項５】
前記ランダム選択及び前記履歴の一方は、前記第２のトランシーバで生じるフェーディ
ングの速度に応じて選択される、請求項４に記載のシステム。
【請求項６】
前記受信品質の判定は所定時間経過後に行われる、請求項１に記載のシステム。
【請求項７】
前記所定時間は、１個のスロットの持続時間中少なくとも１回発生する、請求項６に記載のシステム。
【請求項８】
前記受信品質の判定は可変な間隔で行われ、前記可変間隔は前記第２のトランシーバで生じるフェーディングの速度によって決定される、請求項１に記載のシステム。
【請求項９】
前記受信品質の判定は、品質が最低閾値レベルより下がる度に行われる、請求項１に記載のシステム。
【請求項１０】
前記第２のトランシーバは、受信で用いたアンテナ構成とは異なるアンテナ構成を用いて、前記第１のトランシーバに送信する、請求項１に記載のシステム。
【請求項１１】
前記第２のトランシーバは、前記無線信号の受信中に前記第１のトランシーバから受信される情報に基づき、送信アンテナ構成を判定し、
前記情報は前記第１のトランシーバでの受信品質を示唆する、
請求項１０に記載のシステム。
【請求項１２】
前記第２のトランシーバは、前記第２のトランシーバによって用いられた前記複数の可能なアンテナ構成の各々から得られる送信品質履歴に基づき、送信アンテナ構成を判定する、請求項１１に記載のシステム。
【請求項１３】
前記第２のトランシーバは、前記第１のトランシーバから前記無線信号を受信中に、第３のトランシーバに送信することができる、請求項１１に記載のシステム。
【請求項１４】
前記第２のトランシーバは、前記第２のトランシーバを介して前記第３のトランシーバから受信される情報に基づき、前記第１のトランシーバ及び前記第３のトランシーバのどちらに送信するかを判定する、請求項１３に記載のシステム。
【請求項１５】
前記第２のトランシーバは、前記第１及び第３のトランシーバの各々について得られる送信品質履歴に基づき、前記第１のトランシーバ及び前記第３のトランシーバのどちらに送信するかを判定する、請求項１４に記載のシステム。
【請求項１６】
複数の可能なアンテナ構成から無線信号を受信するよう動作可能なアンテナを用いて、トランシーバで前記無線信号を受信するための方法であって、
前記トランシーバで前記無線信号の定義された量を受信するステップであって、前記アンテナは最初のアンテナ構成から前記無線信号を受信する、ステップと、
前記最初のアンテナ構成において前記無線信号を受信する前記アンテナについての受信品質を判定するステップと、
前記アンテナについて、前記無線信号を受信する際の、前記最初のアンテナ構成とは異なる少なくとも１つの代替のアンテナ構成を判定するステップと、
少なくとも１つの代替のアンテナ構成において、前記無線信号を受信するよう前記アンテナを調整するステップと、
前記少なくとも１つの代替のアンテナ構成において受信される前記無線信号の受信品質を判定するステップと、
前記最初のアンテナ構成で受信される前記無線信号の受信品質と、前記代替のアンテナ構成で受信される前記無線信号の受信品質と、を比較するステップと、
前記無線信号の別の量を受信するために、前記最初のアンテナ構成及び前記少なくとも１つの代替のアンテナ構成のいずれかを選択するステップと、
を備える方法。
【請求項１７】
前記少なくとも１つの代替のアンテナ構成の選択は、前記トランシーバで生じた前記複数の可能なアンテナ構成の各々から得られる受信品質履歴を解析することによって判定される、請求項１６に記載の方法。
【請求項１８】
前記代替のアンテナ構成の選択はランダムに判定される、請求項１６に記載の方法。
【請求項１９】
前記代替のアンテナ構成の選択は、ランダム選択と履歴に基づく選択を組み合わせて行われる、請求項１７又は１８に記載の方法。
【請求項２０】
受信品質の判定は所定の時間経過後に行われる、請求項１６に記載の方法。
【請求項２１】
受信品質の判定は、品質が最低閾値レベルより下がる度に行われる、請求項１６に記載の方法。
【請求項２２】
第１のトランシーバからのデータを含む無線信号を受信し、複数の可能なアンテナ構成から無線信号を送信するよう動作可能なアンテナを用いて、前記第１のトランシーバに無線信号を送信し、前記第１のトランシーバから第２のトランシーバに前記無線信号を受信するための方法であって、
前記第２のトランシーバで、前記無線信号を前記第１のトランシーバに送信し、前記第２のトランシーバにおける前記アンテナは最初のアンテナ構成から前記無線信号を送信するステップと、
前記第１のトランシーバで、前記無線信号について受信される受信品質の指示値を前記第２のトランシーバに送信するステップと、
前記第２のトランシーバで、前記無線信号を送信する際の、前記最初のアンテナ構成とは異なる少なくとも１つの代替のアンテナ構成を判定するステップと、
前記少なくとも１つの代替のアンテナ構成から前記無線信号を送信するよう前記アンテナを調整するステップと、
を備える方法。
【請求項２３】
前記第２のトランシーバで、前記代替のアンテナ構成の判定を、前記複数の可能なアンテナ構成の各々から得られる受信品質履歴を解析することによって行う、請求項２２に記載の方法。
【請求項２４】
前記第１のトランシーバで、受信品質の前記指示値の送信は所定の時間経過後に行う、請求項２２に記載の方法。
【請求項２５】
前記第１のトランシーバで、受信品質の前記指示値の送信は品質が最低閾値レベルより下がる度に行う、請求項２２に記載の方法。
【請求項２６】
無線信号を別の無線トランシーバから受信するよう動作可能な無線トランシーバであって、
前記無線信号はスロット状フレーム構造を用い、
各スロットはデータを含むよう動作可能であり、
無線トランシーバと、
複数の可能なアンテナ構成から前記無線信号を受信するよう動作可能なアンテナと、
最初のアンテナ構成と、前記複数のアンテナ構成から選ばれる少なくとも１つの代替のアンテナ構成から前記無線信号についての受信品質を判定し、前記最初のアンテナ構成で前記第１のトランシーバからのデータを含むスロットの受信中に前記無線信号を受信する際のアンテナ構成を選択するよう動作可能な処理手段と、
を備える無線トランシーバ。
【請求項２７】
前記代替のアンテナ構成の前記選択は、前記複数の可能なアンテナ構成の各々から得られる受信品質履歴に基づいて行われる、請求項２６に記載の無線トランシーバ。
【請求項２８】
前記代替のアンテナ構成の前記選択はランダムに行われる、請求項２６に記載の無線トランシーバ。
【請求項２９】
前記代替のアンテナ構成の前記選択は、ランダム選択と履歴に基づく選択を組み合わせて行われる、請求項２７又は２８に記載の無線トランシーバ。
【請求項３０】
前記ランダム選択及び前記履歴に基づく選択の何れかは、前記無線トランシーバで生じるフェーディングの速度に応じて選択される、請求項２９に記載の無線トランシーバ。
【請求項３１】
前記受信品質の判定は所定の時間経過後に行われる、請求項２６に記載の無線トランシーバ。
【請求項３２】
前記所定の時間は、１個のスロットの持続時間中少なくとも１回発生する、請求項２６に記載の無線トランシーバ。
【請求項３３】
前記受信品質の判定は可変な間隔で行われ、前記可変な間隔は前記無線トランシーバで生じるフェーディングの速度によって決定される、請求項２６に記載の無線トランシーバ。
【請求項３４】
前記受信品質の判定は、品質が最低閾値レベルより下がる度に行われる、請求項２６に記載の無線トランシーバ。
【請求項３５】
前記受信品質の判定は、２つ以上の代替のアンテナ構成について行われる、請求項２６に記載の無線トランシーバ。
【請求項３６】
前記無線トランシーバは、受信で用いたアンテナ構成とは異なるアンテナ構成を用いて、前記別の無線トランシーバに送信する、請求項２６に記載の無線トランシーバ。
【請求項３７】
前記無線トランシーバは、前記無線信号の受信中に前記別の無線トランシーバから受信される情報に基づき、送信アンテナ構成を判定する、請求項３６に記載の無線トランシーバ。
【請求項３８】
前記無線トランシーバは、前記複数の可能なアンテナ構成の各々から得られる送信品質履歴に基づき、送信アンテナ構成を判定する、請求項３７に記載の無線トランシーバ。
【請求項３９】
前記無線トランシーバは、前記別の無線トランシーバから前記無線信号を受信中に、さらに別の無線トランシーバに送信することができる、請求項３８に記載の無線トランシーバ。
【請求項４０】
前記無線トランシーバは、前記別の無線トランシーバを介して前記さらに別の無線トランシーバから受信される情報に基づき、前記別の無線トランシーバと前記さらに別の無線トランシーバのどちらに送信するかを判定する、請求項３９に記載の無線トランシーバ。
【請求項４１】
前記無線トランシーバは、前記別の無線トランシーバと前記さらに別の無線トランシーバの各々について得られる送信品質履歴に基づき、前記別の無線トランシーバと前記さらに別の無線トランシーバのどちらに送信するかを判定する、請求項４０に記載の無線トランシーバ。